(57)【要約】【課題】ＯＬＥＤ発光中に次の画像用の階調データの入力及び駆動トランジスタのＶｔｈ補償を行うことができる電気光学装置を、提供する。【解決手段】  ＥＬＶＤＤとＯＬＥＤ１０との間には、ゲート−ソース間に第１容量３１が接続された駆動トランジスタ１１が、接続されており、ＥＬＶＤＤからの第１電流をＯＬＥＤ１０に供給する。この駆動トランジスタ１１のソースには、定電圧源から発して補償トランジスタ１３を経由する第２電流が通過する。この補償トランジスタ１３のソースには、その一方の電極が走査トランジスタ１５を通じてデータ線Ｄに接続された第２容量３２の当該電極が、接続されている。制御回路２は、駆動トランジスタ１１が第１電流を流している間に、第２容量３２に階調電圧を蓄積し、第１電流が停止している間に、第２電流を流すことにより、第１容量３１をチャージする。【選択図】図２
2015045831.tif 000002
【特許請求の範囲】
【請求項１】
入力された階調データに基づく階調電圧に対応した電流を発光素子に供給することにより、当該発光素子を前記階調データに対応した輝度で発光させる電気光学装置であって、
電源と前記発光素子の電極との間に電気的に接続され、ゲート−ソース間に第１容量が接続され、当該第１容量に保持された電圧に従って前記電源からの第１電流の大きさを調整しつつ、当該第１電流を前記発光素子に供給する駆動トランジスタと、
前記電源から前記第１容量に流れる第２電流の経路中に電気的に接続され、ゲートに第２容量が接続され、当該第２容量に保持された電圧に従って前記第２電流の大きさを調整する補償トランジスタと、
前記第１電流を流している間に、前記第２容量に階調電圧を保持させ、前記第１電流を停止させている間に、前記第２電流を流して前記第１容量に保持された電圧を更新する制御回路と
を備えたことを特徴とする電気光学装置。
【請求項２】
前記第２電流は、前記駆動トランジスタのソースを経由するが当該駆動トランジスタ内を経由しないで流れる
ことを特徴とする請求項１記載の電気光学装置。
【請求項３】
前記第１電流の経路を開閉させる第１電流用スイッチを更に備え、
前記制御回路は、前記第１電流用スイッチを制御することによって、前記第１電流を流し、または、停止させる
ことを特徴とする請求項１記載の電気光学装置。
【請求項４】
前記第２電流を規制する規制手段を更に備え、
前記制御回路は、前記第１電流用スイッチを制御して前記第１電流を流している間は、前記規制手段を制御して前記第２電流を停止させる
ことを特徴とする請求項３記載の電気光学装置。
【請求項５】
前記規制手段は、前記第２容量における前記補償トランジスタに接続されている電極に対向する他の電極の電位を調整することにより、前記補償トランジスタをオフにする
ことを特徴とする請求項４記載の電気光学装置。
【請求項６】
前記規制手段は、前記第２電流の経路を開閉させる第２電流用スイッチである
ことを特徴とする請求項４記載の電気光学装置。
【請求項７】
前記補償トランジスタは前記第１電流の経路外に設けられている
ことを特徴とする請求項１記載の電気光学装置。
【請求項８】
前記補償トランジスタは、前記第１電流の経路中に電気的に接続されている
ことを特徴とする請求項１記載の電気光学装置。
【請求項９】
前記補償トランジスタ内における前記第１電流及び前記第２電流の方向が同じであり、
前記駆動トランジスタと並行に接続されて前記第２電流をバイパスさせるとともに前記第２電流を規制する第２電流用スイッチを更に備え、
前記制御回路は、前記第１電流用スイッチを制御して前記第１電流を流している間に、前記第２電流用スイッチを制御して前記第２電流を停止させ、前記第１電流用スイッチを制御して前記第１電流を停止させている間に、前記第２電流用スイッチを制御して前記第２電流を流す
ことを特徴とする請求項８記載の電気光学装置。
【請求項１０】
前記補償トランジスタ内における前記第１電流及び前記第２電流の方向が逆であり、
前記第１電流の経路外に配置されて前記第２電流を規制する第２電流用スイッチを更に備え、
前記制御回路は、前記第１電流用スイッチを制御して前記第１電流を流している間に、前記第２電流用スイッチを制御して前記第２電流を停止させ、前記第１電流用スイッチを制御して前記第１電流を停止させている間に、前記第２電流用スイッチを制御して前記第２電流を流す
ことを特徴とする請求項８記載の電気光学装置。
【請求項１１】
前記制御回路は、前記第１電流用スイッチを制御して前記第１電流を流している期間内における、前記第２容量に階調電圧を保持させている間以外の期間では、前記第２容量における前記補償トランジスタに接続されている電極に対向する他の電極の電位を調整することにより、前記補償トランジスタのソース−ドレイン間のインピーダンスを下げ、前記第２電流用スイッチを制御して前記第２電流を流す際に、前記他の電極の電位を基に戻す
ことを特徴とする請求項９又は１０記載の電気光学装置。
【請求項１２】
前記制御回路は、前記第１電流を停止してから前記第２電流を流す前に前記第１容量を初期化する
ことを特徴とする請求項１記載の電気光学装置。
【発明の詳細な説明】
【技術分野】
【０００１】
本発明は、電流により発光する電流発光素子を用いた電気光学装置を駆動する電気光学装置に関する。
【背景技術】
【０００２】
近年、供給される電流に応じた強度で発光する有機ＥＬ素子（Organic Electroluminescence Light Emitting Diode：ＯＬＥＤ）からなる電気光学装置が開発されている。このような電気光学装置では、画像信号中の階調データに対応した電圧（階調電圧）がゲートに供給される駆動トランジスタが、ＯＬＥＤに供給される電流量を変化させる。このように、各画素の各色用のＯＬＥＤごとに供給される電流の大きさを制御してその発光輝度を調整することによって、フルカラー画像の表示が可能になるのである。かかる駆動トランジスタとして用いられるＦＥＴは、ソース−ドレイン間に電流を流し始めるゲート電圧（以下、「閾値電圧」ないし「Ｖｔｈ」という）を固有の値として有しており、ゲートに印加された電圧とＶｔｈとの差分に比例した大きさの電流を、ソース−ドレイン間に流す。
【０００３】
ところが、駆動トランジスタのＶｔｈは個体ごとにバラツキがあり、よって、同一の階調電圧がゲートに印加された場合であっても、駆動トランジスタ毎に、ＯＬＥＤに供給される電流の大きさが異なり、よって、その発光輝度が相違してしまうという問題がある。
【０００４】
そこで、従来、階調電圧に応じて駆動トランジスタのゲート−ソース間に印加される電圧Ｖｇｓに、予め当該駆動トランジスタのＶｔｈのバラツキを反映させておくことにより、結果として、Ｖｔｈのバラツキにかかわらず階調電圧に比例した大きさの電流をＯＬＥＤに供給する技術が、提案されている（特許文献１）。このようにして、ＶｇｓにＶｔｈのバラツキ反映させることを、以下、「Ｖｔｈ補償」という。従来、Ｖｔｈ補償を伴うゲート電圧の印加は、駆動トランジスタのゲート−ソース間にＶｇｓを保持する容量を接続してソースフォロワ回路を構成するとともに、駆動トランジスタがＯＬＥＤに電流を供給するに先立つ期間に、Ｖｔｈに相当する電圧を当該容量に書き込んで（Ｖｔｈ補償）、階調データを重畳（データ入力）することによって行われていた。従って、個々のＯＬＥＤについては、Ｖｔｈ補償及びデータ入力を行う期間とＯＬＥＤを発光させる期間とは時系列的に連続しなければならなかった。
【０００５】
なお、ディスプレイを構成する全ＯＬＥＤについてのＶｔｈ補償及びデータ入力の実行順序に関しては、画像表示の形式がインターレース方式又はプログレッシブ方式である場合には、個々の水平走査期間の初めに、表示対象行に属する各画素の各色用のＯＬＥＤについてＶｔｈ補償及びデータ入力を実行する方式が提案され（プログレッシブ方式につき特許文献２）、全行の画像を同時に表示する同時発光駆動方式である場合には、画像表示前に全行分のＶｔｈ補償及びデータ入力を実行する方式が提案されていた（特許文献３）。
【先行技術文献】
【特許文献】
【０００６】
【特許文献１】特許３６２９９３９号公報
【特許文献２】特許５０６４４２１号公報
【特許文献３】特開２０１１−３４０３８号公報
【発明の概要】
【発明が解決しようとする課題】
【０００７】
特許文献２記載のプログレッシブ方式用のＶｔｈ補償及びデータ入力方式によると、ディスプレイの解像度を上げたり動画表示性能を上げるためにフレームレートを上げると、１水平走査期間が短くなってしまうので、Ｖｔｈ補償及びデータ入力を行うための十分な時間を確保することができなくなって映像に輝度ムラが発生してしまうという問題が生じる。特に、液晶シャッターメガネとディスプレイとを連動させて左目の視界を遮蔽している期間中に右目用の映像をディスプレイに表示させるとともに右目の視界を遮蔽している期間中に左目用の映像をディスプレイに表示させるいわゆるフレームシーケンシャル方式の３Ｄ表示を行う場合には、図２９に示すように、クロストーク現象を防止すべく、左右のシャッタが同時に開閉動作を行う遷移期間の間中ディスプレイを消灯しなければならない。ここで、図２９の横軸は時間経過に対応し、縦軸はディスプレイの行に対応する。また、黒の塗りつぶしは、左右のシャッタが同時に開閉動作を行っている遷移期間を示す。また、矢印ｌは、左目用の画像表示のために、各行のＯＬＥＤに対してＶｔｈ補償及びデータ入力を開始するタイミングを示し、網掛けされた期間Ｌは、左目用の画像表示のため各行の発光期間を示す。なお、各発光期間の終期が行毎にずれているのは、各行の発光時間を均一にして画面全体で明るさムラが生じないようにする必要があるからである。同様に、矢印ｒは、右目用の画像表示のために、各行のＯＬＥＤに対してＶｔｈ補償及びデータ入力を開始するタイミングを示し、網掛けされた期間Ｒは、右目用の画像表示のため各行の発光期間を示す。このように、プログレッシブ方式用のＶｔｈ補償及びデータ入力方式を用いてフレームシーケンシャル方式の３Ｄ表示を行う場合、Ｖｔｈ補償及びデータ入力を行うための時間が更に短くなってしまうという問題が生じる。逆に、発光時間を短くすると、映像の見かけの明るさを上げるためにＯＬＥＤの発光輝度を高める必要が生じるが、ＯＬＥＤに瞬間的に大電流を流すと、ＯＬＥＤの発光寿命が短くなってしまうという問題を生じる。
【０００８】
これに対して、特許文献３記載の同時発光駆動用のＶｔｈ補償及びデータ入力方式によると、Ｖｔｈ補償を全ＯＬＥＤにつき一括で行うので、Ｖｔｈ補償のための時間を長く取ったとしても、データ入力を各行について行うための水平走査期間をある程度確保することができる。そして、当該Ｖｔｈ補償方式によると、上述したフレームシーケンシャル方式の３Ｄ表示を行う場合であっても、左右のシャッタを同時に閉じる期間中にＶｔｈ補償を実行することが可能ではある。そうではあるものの、図３０に示すように、同時発光駆動用のＶｔｈ補償及びデータ入力方式においても、やはり、データ入力をＯＬＥＤの非発光期間中に行わなければならない。ここで、図３０の横軸は時間経過に対応し、縦軸はディスプレイの行に対応する。また、黒の塗りつぶしは、左右のシャッタが同時に開閉動作を行っている遷移期間を示す。また、矢印ｌは、左目用の画像表示のために、各行のＯＬＥＤに対してＶｔｈ補償及びデータ入力を開始するタイミングを示し（よって、一部の行に対するＶｔｈ補償及びデータ入力は上記遷移期間中に開始される）、網掛けされた期間Ｌは、左目用の画像表示のための各行の発光期間を示す。同様に、矢印ｒは、右目用の画像表示のために、各行のＯＬＥＤに対してＶｔｈ補償及びデータ入力を開始するタイミングを示し、網掛けされた期間Ｒは、右目用の画像表示のため各行の発光期間を示す。このように、同時発光駆動用のＶｔｈ補償及びデータ入力方式であっても、データ入力期間が短くなったり、発光期間が短くなったりする問題は、依然として残存している。
【０００９】
そこで、本発明の目的は、ＯＬＥＤ発光中に次の画像用の階調データの入力及び駆動トランジスタのＶｔｈ補償を行うことができ、よって、Ｖｔｈ補償及びデータ入力に要する期間も発光期間も共に十分確保するすることができる電気光学装置の提供を、課題とする。
【課題を解決するための手段】
【００１０】
本発明による電気光学装置は、入力された階調データに基づく階調電圧に対応した電流を発光素子に供給することにより、当該発光素子を前記階調データに対応した輝度で発光させる電気光学装置であって、電源と前記発光素子の電極との間に電気的に接続され、ゲート−ソース間に第１容量が接続され、当該第１容量に保持された電圧に従って前記電源からの第１電流の大きさを調整しつつ、当該第１電流を前記発光素子に供給する駆動トランジスタと、前記電源から前記第１容量に流れる第２電流の経路中に電気的に接続され、ゲートに第２容量が接続され、当該第２容量に保持された電圧に従って前記第２電流の大きさを調整する補償トランジスタと、前記第１電流を流している間に、前記第２容量に階調電圧を保持させ、前記第１電流を停止させている間に、前記第２電流を流して前記第１容量に保持された電圧を更新する制御回路と
を備えたことを、特徴とする。
【発明の効果】
【００１１】
本発明によれば、発光素子の発光中に次の画像用の階調データの入力及び駆動トランジスタのＶｔｈ補償を行うことができ、よって、Ｖｔｈ補償及びデータ入力に要する期間も発光期間も共に十分確保するすることができる。
【図面の簡単な説明】
【００１２】
【図１】第１実施形態の概略回路構成を示すブロック図
【図２】画素回路を構成する個々のＯＬＥＤ毎の駆動回路の詳細回路図
【図３】制御回路によって駆動回路に印加される信号の推移を示すタイミングチャート
【図４】Ｓ１での駆動回路の状態を示す回路図
【図５】Ｓ２での駆動回路の状態を示す回路図
【図６】Ｓ３での駆動回路の状態を示す回路図
【図７】Ｓ４での駆動回路の状態を示す回路図
【図８】Ｓ５での駆動回路の状態を示す回路図
【図９】第１実施形態をフレームシーケンシャル方式の３Ｄ表示に用いた場合における動作説明図
【図１０】比較例の説明図
【図１１】第２実施形態の画素回路を構成する個々のＯＬＥＤ毎の駆動回路の詳細回路図
【図１２】制御回路によって駆動回路に印加される信号の推移を示すタイミングチャート
【図１３】Ｓ１での駆動回路の状態を示す回路図
【図１４】Ｓ２での駆動回路の状態を示す回路図
【図１５】Ｓ３での駆動回路の状態を示す回路図
【図１６】Ｓ４での駆動回路の状態を示す回路図
【図１７】Ｓ５での駆動回路の状態を示す回路図
【図１８】第３実施形態の画素回路を構成する個々のＯＬＥＤ毎の駆動回路の詳細回路図
【図１９】第４実施形態の画素回路を構成する個々のＯＬＥＤ毎の駆動回路の詳細回路図
【図２０】第５実施形態の画素回路を構成する個々のＯＬＥＤ毎の駆動回路の詳細回路図
【図２１】制御回路によって駆動回路に印加される信号の推移を示すタイミングチャート
【図２２】第６実施形態の画素回路を構成する個々のＯＬＥＤ毎の駆動回路の詳細回路図
【図２３】制御回路によって駆動回路に印加される信号の推移を示すタイミングチャート
【図２４】Ｓ１での駆動回路の状態を示す回路図
【図２５】Ｓ２での駆動回路の状態を示す回路図
【図２６】Ｓ３での駆動回路の状態を示す回路図
【図２７】Ｓ４での駆動回路の状態を示す回路図
【図２８】Ｓ５での駆動回路の状態を示す回路図
【図２９】従来のプログレッシブ方式用の駆動回路をフレームシーケンシャル方式の３Ｄ表示に用いた場合における動作説明図
【図３０】従来の同時駆動発光方式用の駆動回路をフレームシーケンシャル方式の３Ｄ表示に用いた場合における動作説明図
【発明を実施するための形態】
【００１３】
以下、本発明の実施形態に係る電気光学装置について、図面を参照しながら詳細に説明する。なお、以下に示す実施形態は本発明の実施形態の一例であって、本発明はこれらの実施形態に限定されるものではない。
【００１４】
（第１実施形態）
本発明の第１実施形態に係る電気光学装置について、図面を参照しながら詳細に説明する。
【００１５】
図１は、本発明の第１実施形態による電気光学装置の構成を示すブロック図であり、図２は、各画素回路１の具体的回路構成を示す回路図である。
【００１６】
電気光学装置は、ディスプレイパネルを構成する各画素毎に、３個一組のＯＬＥＤ（フルカラーを表現するために、夫々に設定された階調で各原色（赤、緑及び青）を夫々発光する３個一組のＯＬＥＤ）１０を備えている。図１では、各ＯＬＥＤ１０用の駆動回路の集合が、「画素回路」１と称されている。なお、画素回路１では、各画素を構成する多数のＯＬＥＤ１０の駆動回路がマトリクス状に配置されてディスプレイパネルを構成しており、図２に示すように、列方向に並ぶ複数のＯＬＥＤ１０の駆動回路に共通のデータ線Ｄが接続され、行方向に並ぶ複数のＯＬＥＤ１０の駆動回路には、共通の第１走査線Ｓ１、共通の第２走査線Ｓ２、共通の第１初期化トランジスタ駆動線Ｎ、共通の遮断トランジスタ駆動線Ｇ、共通の第２初期化トランジスタ駆動線Ｉ、共通の発光スイッチ駆動線Ｅが接続され、さらに、全ＯＬＥＤ１０の駆動回路に第１電源線Ｐ及び第２電源線Ｗが接続されている。なお、上述した第１電源線Ｐには、図示せぬ電源回路から、アース電位に比較して十分に高い一定の電源電圧（ＥＬＶＤＤ）の電源が供給されており、第２電源線Ｗには電源電圧（ＥＬＶＤＤ）よりも十分に低い所定の第１初期化電圧（Ｖｉｎｉｔ１）が供給されている。
【００１７】
そして、図１に示すように、本第１実施形態による電気光学装置は、かかる画素回路１及び制御回路２から、構成されている。
【００１８】
制御回路２は、外部から供給された各原色ごとの階調データからなる画像信号の入力を受けて、各ＯＬＥＤ１０の輝度を設定するための階調電圧又は第２初期化電圧（Ｖｉｎｉｔ２）を上述するデータ線Ｄに供給するとともに、第１初期化トランジスタ駆動信号（ＧＣ１），電源遮断信号（ＧＣ２），第２初期化トランジスタ駆動信号（ＧＣ３），第１スキャン信号（Ｓｃａｎ１），第２スキャン信号（Ｓｃａｎ２）及び発光スイッチ駆動信号（ＥＭ）を上述した第１初期化トランジスタ駆動線Ｎ，電源遮断トランジスタ駆動線Ｇ，第２初期化トランジスタ駆動線Ｉ，第１走査線Ｓ１，第２走査線Ｓ２及び発光スイッチ駆動線Ｅに夫々供給する回路である。具体的には、制御回路２は、階調電圧生成部２２、基準電圧供給回路２３、制御信号供給回路２４及びスキャン信号供給回路２５に、区分されている。
【００１９】
基準電圧供給回路２３は、上述した第２電源線Ｗに第１初期化電圧（Ｖｉｎｉｔ１）を、データ線Ｄに第２初期化電圧（Ｖｉｎｉｔ２）を、それぞれ供給する。
【００２０】
また、階調電圧生成部２２は、各画素の各原色毎の階調データに基づいて各ＯＬＥＤ１０に設定すべき階調電圧を生成するとともに、ＯＬＥＤ１０の列毎に、生成した階調電圧（Ｄａｔａ）を、第１行のＯＬＥＤ１０用のものから順次、対応するデータ線Ｄに供給する。
【００２１】
また、スキャン信号生成部２５は、階調電圧生成部２２から各データ線Ｄに順次供給される階調電圧（Ｄａｔａ）が入力されるべきＯＬＥＤ１０の駆動回路を指定する第２スキャン信号（Ｓｃａｎ２）を、第２走査線Ｓ２に供給する。また、スキャン信号生成部２５は、後述する補償用トランジスタ１３のゲートに印加される電圧をシフトさせるための第１スキャン信号（Ｓｃａｎ１）を、第１走査線Ｓ１に供給する。
【００２２】
また、制御信号供給回路２４は、所定の垂直同期期間の単位で、第１初期化トランジスタ駆動信号（ＧＣ１），電源遮断信号（ＧＣ２），第２初期化トランジスタ駆動信号（ＧＣ３）及び発光スイッチ駆動信号（ＥＭ）を上述した第１初期化トランジスタ駆動線Ｎ，電源遮断トランジスタ駆動線Ｇ，第２初期化トランジスタ駆動線Ｉ及び発光スイッチ駆動線Ｅに、夫々供給する。
【００２３】
次に、図２を参照して、個々のＯＬＥＤ１０の駆動回路の回路構成を説明する。図２において、第１電源線ＰとＯＬＥＤ１０のアノードとの間には、順番に、電源遮断トランジスタ１７（第１電流用スイッチに相当）、駆動トランジスタ１１及び発光スイッチトランジスタ１２（第１電流用スイッチに相当）が直列接続されている。そして、電源遮断トランジスタ１７のゲートには電源遮断トランジスタ駆動線Ｇが電気的に接続されており、発光スイッチトランジスタ１２のゲートには発光スイッチ駆動線Ｅが電気的に接続されている。また、駆動トランジスタ１１のゲートは、第１初期化トランジスタ１４を介して第２電源線Ｗに電気的に接続されている。この第１初期化トランジスタ１４のゲートには、第１初期化トランジスタ駆動線Ｎが電気的に接続されている。
【００２４】
また、駆動トランジスタ１１のソースと発光スイッチトランジスタ１２のドレインとの接続点と駆動トランジスタ１１のゲートとの間には第１容量３１が、同接続点とデータ線Ｄとの間には第２初期化トランジスタ１６が、同接続点と第１電源線Ｐとの間には補償トランジスタ１３が、夫々電気的に接続されている。この第２初期化トランジスタ１６のゲートは、第２初期化トランジスタ駆動線Ｉに電気的に接続されている。また、補償トランジスタ１３のゲートは、走査トランジスタ１５を介してデータ線Ｄに接続されているとともに、第２容量３２を介して第１走査線Ｓ１に接続されている。この走査トランジスタ１５のゲートには第２走査線Ｓ２が接続されている。
【００２５】
なお、駆動回路を構成する各トランジスタ１１〜１７は、いずれも、Ｎチャネル型ＭＯＳＦＥＴである。また、駆動トランジスタ１１と補償トランジスタ１３は全く同一の特性を有しているので、その閾値電圧Ｖｔｈの値は同一である。
【００２６】
次に、図３のタイミングチャート、図４乃至図８の回路図を用いて、制御回路２による各ＯＬＥＤ１０の駆動回路に対する制御内容を、説明する。なお、以下の処理は、所定の垂直同期信号に同期した周期で階調電圧生成部２２がフレーム単位の階調電圧を生成する毎に、繰り返し実行される。そして、制御回路２は、ＯＬＥＤ１０の全ての列に対する階調電圧の出力を並行に実行しつつピクセル単位で順次出力される当該階調信号を一行ずつ各ＯＬＥＤ１０の駆動回路に入力させるプログラミングを行い、その後、ＯＬＥＤ１０の全ての行に対する初期化，Ｖｔｈ補償及び第１容量３１へのデータ転送を同時に行い、その後、転送されたデータに基づきＯＬＥＤ１０を発光させつつ、次のフレームの階調データについてのプログラミングを実行する。ただし、以下においては、説明の便宜上、あるフレームの階調データについてのプログラミングを実行する時点から、説明を開始する。
【００２７】
まず、図３のＳ１において、制御回路２は、全ての行について、第１初期化トランジスタ駆動信号（ＧＣ１）の電位をＬ（第１初期化トランジスタ１４＝ＯＦＦ）、電源遮断信号（ＧＣ２）の電位をＨ（電源遮断トランジスタ１７＝ＯＮ）、第２初期化トランジスタ駆動信号（ＧＣ３）の電位をＬ（第２初期化トランジスタ１６＝ＯＦＦ）、発光スイッチ駆動信号（ＥＭ）の電位をＨ（発光スイッチトランジスタ１２＝ＯＮ）とする（図４参照）。これにより、全てのＯＬＥＤ１０の駆動回路において、第１容量３１がフローティングとなり、前のフレームの階調電圧に基づいて第１容量３１に保持された電圧（Ｖｇｓ＝Ｖｉｎｉｔ１−Ｄａｔａ＋Ｖｔｈ）に応じて、駆動トランジスタ１１がＯＬＥＤ１０に電流（第１電流に相当）を供給することにより、階調電圧に応じた輝度でＯＬＥＤ１０を発光させる。同時に、制御回路２は、走査対象行（初期においては第１行であり、所定の水平同期信号に応じて、順次、次の行に切り換わる）以外の行については、第１スキャン信号（Ｓｃａｎ１）及び第２スキャン信号（Ｓｃａｎ２）の電位を共にＬ（走査トランジスタ１５＝ＯＦＦ）のままとしつつ、走査対象行については、第１スキャン信号（Ｓｃａｎ１）及び第２スキャン信号（Ｓｃａｎ２）の電位を共にＨ（走査トランジスタ１５＝ＯＮ）に切り替える（図４参照）。
【００２８】
この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に蓄積される。この階調電圧（Ｄａｔａ）は補償トランジスタ１３のゲートにも印加されるが、階調電圧（Ｄａｔａ）が最小値であっても補償トランジスタ１３のゲート電圧（Ｄａｔａ）とソース電圧との電位差がＶｔｈよりも大きくなるように設定されているので、補償トランジスタ１３はＯＮになり、この時点では第２初期化トランジスタ１６がＯＦＦであることから、ＥＬＶＤＤからの電流（第２電流に相当）をＯＬＥＤ１０に対して重畳的に流してしまう。しかしながら、この補償トランジスタ１３がＯＮする水平同期期間はＯＬＥＤ１０が発光し続ける垂直同期期間に比して十分小さいところ、人間の目には、ＯＬＥＤの明るさは、水平走査期間中の発光輝度の積分値として感じられるので、当該電流がＯＬＥＤの見かけの明るさに与える影響は、実質的には無い。
【００２９】
制御回路２は、以上に説明したプログラミングを、所定の水平同期信号が入力されるごとに走査対象行を順次切り替えつつ、全ての行について実行する。図５は、ある行についてプログラミングが実行された後に走査対象行が次の行に切り替えられた時点（Ｓ２）における駆動回路の状態を示すものである。すなわち、走査対象行を次の行に切り替えると、制御回路２は、プログラミングが完了した行の第１スキャン信号（Ｓｃａｎ１）及び第２スキャン信号（Ｓｃａｎ２）の電位を共にＨ（走査トランジスタ１５＝ＯＦＦ）に切り替える。すると、第２容量３２における容量カップリングにより、補償トランジスタ１３のゲートに印加される電圧は、第１走査線Ｓ１上の第１スキャン信号（Ｓｃａｎ１）の振幅ΔＶ（＝Ｈ−Ｌ）分だけ減衰してＤａｔａ−ΔＶとなる。ここで、振幅ΔＶの値は、Ｄａｔａが最大値であっても補償トランジスタのゲート電圧（Ｄａｔａ−ΔＶ）とソース電圧との電位差がＶｔｈよりも小さくなるように設定されているので、補償トランジスタ１３はＯＦＦになり、当該補償トランジスタ１３からＯＬＥＤ１０に流れ込む電流（第２電流に相当）が停止される。よって、以上の制御を行う制御回路２は、第２電流を規制する規制手段に相当する。
【００３０】
全ての行に対するプログラムが完了すると、制御回路２は、図３のＳ３において、データ線Ｄに供給している電圧を第２初期化電圧（Ｖｉｎｉｔ２）に切り替えるとともに、全ての行の第１スキャン信号（Ｓｃａｎ１）及び第２スキャン信号（Ｓｃａｎ２）の電位を共にＬ（走査トランジスタ１５＝ＯＦＦ）に切り替え、第１初期化トランジスタ駆動信号（ＧＣ１）の電位をＨ（第１初期化トランジスタ１４＝ＯＮ）、電源遮断信号（ＧＣ２）の電位をＬ（電源遮断トランジスタ１７＝ＯＦＦ）、第２初期化トランジスタ駆動信号（ＧＣ３）の電位をＨ（第２初期化トランジスタ１６＝ＯＮ）に切り替える（図６参照）。その結果、ＥＬＶＤＤからの電流（第１電流に相当）は電源遮断トランジスタ１７によって遮断されるので、ＯＬＥＤ１０は消灯する。また、駆動トランジスタ１１のゲート電位が第１初期化電圧（Ｖｉｎｉｔ１）に初期化され、ソース電位が第２初期化電圧（Ｖｉｎｉｔ２）に初期化される。この時、第２初期化電圧（Ｖｉｎｉｔ２）の値は、Ｄａｔａが最大値であってもＶｉｎｉｔ２＞Ｄａｔａ−ΔＶとなり、かつ、ＯＬＥＤ１０の閾値電圧未満となるように設定されているので、補償トランジスタ１３はＯＦＦのままであり、第１電源線Ｐとデータ線Ｄとのショートが防止される。また、この時点では発光スイッチトランジスタ１２がＯＮであるので、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。
【００３１】
次に、図３のＳ４において、制御回路２は、全ての行について、第２初期化トランジスタ駆動信号（ＧＣ３）の電位をＬ（第２初期化トランジスタ１６＝ＯＦＦ）、発光スイッチ駆動信号（ＥＭ）の電位をＬ（発光スイッチトランジスタ１２＝ＯＦＦ）、第１スキャン信号（Ｓｃａｎ１）の電位をＨに、夫々切り替える（図７参照）。その結果、補償トランジスタ１３のゲートの電位が、第１スキャン信号（Ｓｃａｎ１）の振幅ΔＶ（＝Ｈ−Ｌ）分だけ上昇して、元の階調電圧（Ｄａｔａ）となる。すると、上述したように、階調電圧（Ｄａｔａ）が最小値であっても補償トランジスタ１３のゲート電圧（Ｄａｔａ）とソース電圧との電位差がＶｔｈよりも大きくなるように設定されているので、補償トランジスタ１３はＯＮになる。これにより、補償トランジスタ１３は、ソースフォロワ回路として働き、ＥＬＶＤＤからの電流（第２電流に相当）が補償トランジスタ１３、駆動トランジスタ１１のソース、第１容量３１、第１初期化トランジスタ１４を通って流れ、補償トランジスタ１３のソース電圧がゲート電圧（Ｄａｔａ）からＶｔｈだけ降下した値（Ｄａｔａ−Ｖｔｈ）となり、この時の駆動トランジスタ１１のソース−ゲート間電圧（Ｖｇｓ＝Ｖｉｎｉｔ１−Ｄａｔａ＋Ｖｔｈ）が第１容量３１に保持される。
【００３２】
次に、図３のＳ５において、制御回路２は、全ての行について、第１初期化トランジスタ駆動信号（ＧＣ１）の電位をＬ（第１初期化トランジスタ１４＝ＯＦＦ）、電源遮断信号（ＧＣ２）の電位をＨ（電源遮断トランジスタ１７＝ＯＮ）、発光スイッチ駆動信号（ＥＭ）の電位をＨ（発光スイッチトランジスタ１２＝ＯＮ）、第１スキャン信号（Ｓｃａｎ１）の電位をＬに、それぞれ切り替える（図８参照）。その結果、全てのＯＬＥＤ１０の駆動回路において、補償トランジスタ１３がＯＦＦになるとともに、第１容量３１がフローティングとなり、第１容量３１に保持された電圧（Ｖｇｓ＝Ｖｉｎｉｔ１−Ｄａｔａ＋Ｖｔｈ）から閾値電圧（Ｖｔｈ）分だけ降下した電圧（Ｖｉｎｉｔ１−Ｄａｔａ）に比例した電流（第１電流に相当）が駆動トランジスタ１１のドレイン−ソース間を流れ、ＯＬＥＤ１０を発光させる。その結果、ＯＬＥＤ１０の発光輝度は、階調電圧Ｄａｔａに応じたものとなる。
【００３３】
以後、制御回路２は、ＯＬＥＤ１０の発光をＳ２の完了まで継続しつつ、次の階調電圧の入力のために、Ｓ１以降の処理を実行する。
【００３４】
以上に説明したように、本実施形態によれば、駆動トランジスタ１１のＶｇｓ保持用のメモリ（第１容量３１）とは別に、データ入力用のメモリ（第２容量３２）を備え、補償トランジスタ１３によって後者のメモリから前者のメモリへ電荷（階調データＤａｔａ）を転送する際に、当該補償トランジスタ１３によってＶｔｈ補償を行うように構成したので、前者のメモリ（第１容量３１）によるＯＬＥＤ１０の発光と後者のメモリ（第２容量３２）に対するプログラムとを、並行して実行することができるので、プログラム及びＶｔｈ補償に要する時間を十分に長く取ることが可能になる。
【００３５】
そのため、図９に示すように、フレームシーケンシャル方式の３Ｄ表示を行う場合においても、左右のシャッタが同時に開閉動作を行う遷移期間以外の期間中、各ＯＬＥＤ１０の発光による映像表示を行うことができるとともに、各フレームの映像表示を行っている期間及び左右のシャッタを同時に閉じる期間を用いてプログラムを行うことができるのである。ここで、図９の横軸は時間経過に対応し、縦軸はディスプレイの行に対応する。また、黒の塗りつぶしは、左右のシャッタが同時に開閉動作を行っている遷移期間を示す。また、矢印ｌは、左目用の画像表示のために、各行のＯＬＥＤに対してＶｔｈ補償及びデータ入力を開始するタイミングを示し、網掛けされた期間Ｌは、左目用の画像表示のため各行の発光期間を示す。同様に、矢印ｒは、右目用の画像表示のために、各行のＯＬＥＤに対してＶｔｈ補償及びデータ入力を開始するタイミングを示し、網掛けされた期間Ｒは、右目用の画像表示のため各行の発光期間を示す。その結果、本実施形態によると、発光時間を長く取ることによって映像の見かけの明るさを明るくすることができるにもかかわらず、プログラム期間を長く取ることによって、念入りなＶｔｈ補償を行うことが可能になるのである。
【００３６】
また、本実施形態によれば、補償トランジスタ１３をソースフォロワ回路として用いて、前者のメモリ（第１容量３１）に記憶されたデータを後者のメモリ（第２容量３２）に転送しているので、各メモリに蓄積された電圧が示す数値の形態は変動するものの、階調データ（Ｄａｔａ）を電圧減衰無しに転送することができる。図１０は、容量同士を単純に接続することによって電荷を移転させる比較例を示すものであるが、この場合、チャージシェアによってデータ電圧が減衰してしまうという問題が生じてしまうので、本実施形態の有用性は明らかである。
【００３７】
さらに、本実施形態によると、ＥＬＶＤＤの電圧のスウィングを行う必要がないので、ディスプレイパネルの額縁を狭くすることが可能であり、電圧降下が少なくなるなどの利点があるので、特に大型のディスプレイパネル用のＯＬＥＤの駆動回路に最適である。
【００３８】
（第２実施形態）
本発明の第２実施形態に係る電気光学装置について、図面を参照しながら詳細に説明する。
【００３９】
本発明の第２実施形態による電気光学装置のブロック図は図１と同じとなるので、図１についての第１実施形態の説明を援用する。本第２実施形態における各画素回路１の具体的回路構成は図１１に示す通りとなるので、以下、その説明を行う。
【００４０】
図１１に示すように、本第２実施形態は、第１実施形態と比較して、補償トランジスタ１３が駆動トランジスタ１１と直列（第１電流の経路中）に接続されていることを特徴としている。すなわち、第１電源線ＰとＯＬＥＤ１０のアノードとの間には、順番に、電源遮断トランジスタ１７（第１電流用スイッチに相当）、補償トランジスタ１３、駆動トランジスタ１１及び発光スイッチトランジスタ１２が直列接続されている。そして、電源遮断トランジスタ１７のゲートには電源遮断トランジスタ駆動線Ｇが電気的に接続されており、発光スイッチトランジスタ１２のゲートには発光スイッチ駆動線Ｅが電気的に接続されている。また、駆動トランジスタ１１のゲートは、第１初期化トランジスタ１４を介して第２電源線Ｗに電気的に接続されており、この第１初期化トランジスタ１４のゲートには、第１初期化トランジスタ駆動線Ｎが電気的に接続されている。また、駆動トランジスタ１１のドレイン−ソース間には、バイパストランジスタ１８（第２電流を規制する規制手段としての第２電流用スイッチに相当）が並列接続されており、このバイパストランジスタ１８のゲートにも、第１初期化トランジスタ駆動線Ｎが電気的に接続されている。
【００４１】
また、駆動トランジスタ１１のソースと発光スイッチトランジスタ１２のドレインとの接続点と駆動トランジスタ１１のゲートとの間には第１容量３１が、同接続点とデータ線Ｄとの間には第２初期化トランジスタ１６が、夫々電気的に接続されている。この第２初期化トランジスタ１６のゲートは、第２初期化トランジスタ駆動線Ｉに電気的に接続されている。また、補償トランジスタ１３のゲートは、走査トランジスタ１５を介してデータ線Ｄに接続されているとともに、第２容量３２を介して第１走査線Ｓ１に接続されている。この走査トランジスタ１５のゲートには第２走査線Ｓ２が接続されている。
【００４２】
なお、駆動回路を構成する各トランジスタ１１〜１７は、いずれも、Ｎチャネル型ＭＯＳＦＥＴである。また、駆動トランジスタ１１と補償トランジスタ１３は全く同一の特性を有しているので、その閾値電圧Ｖｔｈの値は同一である。
【００４３】
次に、図１２のタイミングチャート、図１３乃至図１７の回路図を用いて、制御回路２による各ＯＬＥＤ１０の駆動回路に対する制御内容を、説明する。なお、以下の処理は、所定の垂直同期信号に同期した周期で階調電圧生成部２２がフレーム単位の階調電圧を生成する毎に、繰り返し実行される。そして、制御回路２は、ＯＬＥＤ１０の全ての列に対する階調電圧の出力を並行に実行しつつピクセル単位で順次出力される当該階調信号を一行ずつ各ＯＬＥＤ１０の駆動回路に入力させるプログラミングを行い、その後、ＯＬＥＤ１０の全ての行に対する初期化，Ｖｔｈ補償及び第１容量３１へのデータ転送を同時に行い、その後、転送されたデータに基づきＯＬＥＤ１０を発光させつつ、次のフレームの階調データについてのプログラミングを実行する。ただし、以下においては、説明の便宜上、あるフレームの階調データについてのプログラミングを実行する時点から、説明を開始する。
【００４４】
まず、図１２のＳ１において、制御回路２は、全ての行について、第１初期化トランジスタ駆動信号（ＧＣ１）の電位をＬ（第１初期化トランジスタ１４＝ＯＦＦ、バイパストランジスタ１８＝ＯＦＦ）、電源遮断信号（ＧＣ２）の電位をＨ（電源遮断トランジスタ１７＝ＯＮ）、第２初期化トランジスタ駆動信号（ＧＣ３）の電位をＬ（第２初期化トランジスタ１６＝ＯＦＦ）、発光スイッチ駆動信号（ＥＭ）の電位をＨ（発光スイッチトランジスタ１２＝ＯＮ）とする（図１３参照）。これにより、全てのＯＬＥＤ１０の駆動回路において、第１容量３１がフローティングとなり、前のフレームの階調電圧に基づいて第１容量３１に保持された電圧（Ｖｇｓ＝Ｖｉｎｉｔ１−Ｄａｔａ＋Ｖｔｈ）に応じて、駆動トランジスタ１１がＯＬＥＤ１０に電流（第１電流に相当）を供給することにより、階調電圧に応じた輝度でＯＬＥＤ１０を発光させる。同時に、制御回路２は、走査対象行（初期においては第１行であり、所定の水平同期信号に応じて、順次、次の行に切り換わる）以外の行については、第１スキャン信号（Ｓｃａｎ１）の電位をＨ、第２スキャン信号（Ｓｃａｎ２）の電位をＬ（走査トランジスタ１５＝ＯＦＦ）のままとしつつ、走査対象行については、第１スキャン信号（Ｓｃａｎ１）の電位をＬ，第２スキャン信号（Ｓｃａｎ２）の電位をＨ（走査トランジスタ１５＝ＯＮ）に切り替える（図１３参照）。
【００４５】
この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に保持される。この階調電圧（Ｄａｔａ）は補償トランジスタ１３のゲートにも印加されるが、階調電圧（Ｄａｔａ）が最小値であっても補償トランジスタ１３のゲート電圧（Ｄａｔａ）とソース電圧との電位差がＶｔｈよりも大きくなるように設定されているので、補償トランジスタ１３はＯＮのままである。この時点で補償トランジスタ１３のドレイン−ソース間を流れてＯＬＥＤ１０に供給される電流（第１電流に相当）は第２容量３２に保持された階調電圧（Ｄａｔａ）に依存した大きさとなってしまうが、水平同期期間はＯＬＥＤ１０が発光し続ける垂直同期期間に比して十分小さいところ、人間の目には、ＯＬＥＤの明るさは、水平走査期間中の発光輝度の積分値として感じられるので、当該電流がＯＬＥＤの見かけの明るさに与える影響は、実質的には無い。
【００４６】
制御回路２は、以上に説明したプログラミングを、所定の水平同期信号が入力されるごとに走査対象行を順次切り替えつつ、全ての行について実行する。図１４は、ある行についてプログラミングが実行された後に走査対象行が次の行に切り替えられた時点（Ｓ２）における駆動回路の状態を示すものである。すなわち、走査対象行を次の行に切り替えると、制御回路２は、プログラミングが完了した行の第１スキャン信号（Ｓｃａｎ１）の電位をＨに切り替えるとともに、第２スキャン信号（Ｓｃａｎ２）の電位をＬ（走査トランジスタ１５＝ＯＦＦ）に切り替える。すると、第２容量３２における容量カップリングにより、補償トランジスタ１３のゲートに印加される電圧は、第１走査線Ｓ１上の第１スキャン信号（Ｓｃａｎ１）の振幅ΔＶ（＝Ｈ−Ｌ）分だけシフトしてＤａｔａ＋ΔＶとなる。ここで、振幅ΔＶの値は、Ｄａｔａの最大値よりも十分に大きく設定されているので、補償トランジスタ１３のドレイン−ソース間のインピーダンスが最小値に近くなり、ＯＬＥＤ１０に供給される電流は、専ら、駆動トランジスタ１１によって制御されるようになり、ＯＬＥＤ１０は、第１容量３１に保持された電圧（Ｖｇｓ＝Ｖｉｎｉｔ１−Ｄａｔａ＋Ｖｔｈ）に応じた輝度での発光を、再開する。よって、以上の制御を行う制御回路２は、第２電流を規制する規制手段に相当する。
【００４７】
全ての行に対するプログラムが完了すると、制御回路２は、図１２のＳ３において、データ線Ｄに供給している電圧を第２初期化電圧（Ｖｉｎｉｔ２）に切り替えるとともに、第１初期化トランジスタ駆動信号（ＧＣ１）の電位をＨ（第１初期化トランジスタ１４＝ＯＮ，バイパストランジスタ１８＝ＯＮ）、電源遮断信号（ＧＣ２）の電位をＬ（電源遮断トランジスタ１７＝ＯＦＦ）、第２初期化トランジスタ駆動信号（ＧＣ３）の電位をＨ（第２初期化トランジスタ１６＝ＯＮ）に切り替える（図１５参照）。その結果、ＥＬＶＤＤからの電流（第１電流に相当）は電源遮断トランジスタ１７によって遮断されるので、ＯＬＥＤ１０は消灯する。また、駆動トランジスタ１１のゲート電位が第１初期化電圧（Ｖｉｎｉｔ１）に初期化され、ソース電位が第２初期化電圧（Ｖｉｎｉｔ２）に初期化される。この時点では、発光スイッチトランジスタ１２がＯＮであるので、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。また、電源遮断トランジスタ１７がＯＦＦになることによって、第１電源線Ｐとデータ線Ｄとがショートすることが防止される。
【００４８】
次に、図１２のＳ４において、制御回路２は、全ての行について、電源遮断信号（ＧＣ２）の電位をＨ（電源遮断トランジスタ１７＝ＯＮ）、第２初期化トランジスタ駆動信号（ＧＣ３）の電位をＬ（第２初期化トランジスタ１６＝ＯＦＦ）、発光スイッチ駆動信号（ＥＭ）の電位をＬ（発光スイッチトランジスタ１２＝ＯＦＦ）、第１スキャン信号（Ｓｃａｎ１）の電位をＬに、夫々切り替える（図１６参照）。このとき、第１初期化トランジスタ１４がＯＮのままであるため、駆動トランジスタ１１のベースに印加されている電圧は第１初期化電圧（Ｖｉｎｉｔ１）であって、駆動トランジスタ１１はＯＦＦのままであるのに対して、第１初期化トランジスタ駆動信号（ＧＣ１）の電位はＨであってバイパストランジスタ１８はＯＮになっているから、電源遮断トランジスタ１７がＯＮとなることによって、ＥＬＶＤＤからの電流（第２電流に相当）は、バイパストランジスタ１８を通って流れる。このとき、補償トランジスタ１３のゲートの電位は、第１スキャン信号（Ｓｃａｎ１）の振幅ΔＶ（＝Ｈ−Ｌ）分だけ下降して、元の階調電圧（Ｄａｔａ）となっている。そのため、補償トランジスタ１３はソースフォロワ回路として機能し、ＥＬＶＤＤからの電流が電源遮断トランジスタ１７、補償トランジスタ１３、バイパストランジスタ１８、駆動トランジスタ１１のソース、第１容量３１、第１初期化トランジスタ１４を通って流れ、補償トランジスタ１３のソース電圧がゲート電圧（Ｄａｔａ）から閾値電圧（Ｖｔｈ）分だけ降下した値（Ｄａｔａ−Ｖｔｈ）となり、ＯＮ状態にあるバイパストランジスタ１８のドレイン−ソース間のインピーダンスがほぼ０であることから、駆動トランジスタ１１のソース電圧も同値（Ｄａｔａ−Ｖｔｈ）となる。これにより、駆動トランジスタ１１のソース−ゲート間電圧（Ｖｇｓ＝Ｖｉｎｉｔ１−Ｄａｔａ＋Ｖｔｈ）が第１容量３１に保持される。
【００４９】
次に、図１２のＳ５において、制御回路２は、全ての行について、第１初期化トランジスタ駆動信号（ＧＣ１）の電位をＬ（第１初期化トランジスタ１４＝ＯＦＦ，バイパストランジスタ１８＝ＯＦＦ）、発光スイッチ駆動信号（ＥＭ）の電位をＨ（発光スイッチトランジスタ１２＝ＯＮ）、第１スキャン信号（Ｓｃａｎ１）の電位をＨに、それぞれ切り替える（図１７参照）。その結果、全てのＯＬＥＤ１０の駆動回路において、第１容量３１がフローティングとなり、第１容量３１に保持された電圧（Ｖｇｓ＝Ｖｉｎｉｔ１−Ｄａｔａ＋Ｖｔｈ）から閾値電圧（Ｖｔｈ）分だけ降下した電圧（Ｖｉｎｉｔ１−Ｄａｔａ）に比例した電流（第１電流に相当）が駆動トランジスタ１１のドレイン−ソース間を流れ、ＯＬＥＤ１０を発光させる。その結果、ＯＬＥＤ１０の発光輝度は、階調電圧Ｄａｔａに応じたものとなる。
【００５０】
以後、制御回路２は、ＯＬＥＤ１０の発光をＳ２の完了まで継続しつつ、次の階調電圧の入力のために、Ｓ１以降の処理を実行する。
【００５１】
以上に説明したように、本実施形態によれば、駆動トランジスタ１１のＶｇｓ保持用のメモリ（第１容量３１）とは別に、データ入力用のメモリ（第２容量３２）を備え、補償トランジスタ１３によって後者のメモリから前者のメモリへ電荷（階調データＤａｔａ）を転送する際に、当該補償トランジスタ１３によってＶｔｈ補償を行うように構成したので、前者のメモリ（第１容量３１）によるＯＬＥＤ１０の発光と後者のメモリ（第２容量３２）に対するプログラムとを、並行して実行することができるので、プログラム及びＶｔｈ補償に要する時間を十分に長く取ることが可能になる。
【００５２】
また、本実施形態によれば、補償トランジスタ１３をソースフォロワ回路として用いて、前者のメモリ（第１容量３１）に記憶されたデータを後者のメモリ（第２容量３２）に転送しているので、各メモリに蓄積された電圧が示す数値の形態は変動するものの、階調データ（Ｄａｔａ）を電圧減衰無しに転送することができる。
（第３実施形態）
【００５３】
本発明の第３実施形態に係る電気光学装置について、図１８を参照しながら詳細に説明する。
【００５４】
本発明の第３実施形態による電気光学装置は、上述した第１実施形態と比較して、第２初期化トランジスタ１６が無いことのみが異なり、その他の構成を同一とする。従って、本第３実施形態によると、第２初期化電圧（Ｖｉｎｉｔ２）によるＯＬＥＤ１０の寄生容量の放電はできないが、第１容量３１での容量カップリングを通じて、第１初期化電圧（Ｖｉｎｉｔ１）による放電が可能であるので、支障がない。本第３実施形態によるその他の構成及び作用は、上述した第１実施形態のものと同一であるので、その説明を省略する。
（第４実施形態）
【００５５】
本発明の第４実施形態に係る電気光学装置について、図１９を参照しながら詳細に説明する。
【００５６】
本発明の第４実施形態による電気光学装置は、上述した第２実施形態と比較して、第２初期化トランジスタ１６が無いことのみが異なり、その他の構成を同一とする。従って、本第３実施形態によると、第２初期化電圧（Ｖｉｎｉｔ２）によるＯＬＥＤ１０の寄生容量の放電はできないが、第１容量３１での容量カップリングを通じて、第１初期化電圧（Ｖｉｎｉｔ１）による放電が可能であるので、支障がない。なお、本第４実施形態では、Ｄａｔａ線に接続されれた第２初期化トランジスタ１６が省略されたことから、当該初期化トランジスタ１６を通じたデータ線とＥＬＶＤＤとのショートの可能性が無くなったため、初期化時に第１電源線Ｐとの接続を絶つ電源遮断トランジスタ１７も省略されている。本第４実施形態によるその他の構成及び作用は、上述した第２実施形態のものと同一であるので、その説明を省略する。
（第５実施形態）
【００５７】
本発明の第５実施形態に係る電気光学装置について、図２０及び図２１を参照しながら詳細に説明する。
【００５８】
本発明の第５実施形態による電気光学装置は、上述した第１実施形態と比較して、各トランジスタ１１〜１７をＰチャネル型ＭＯＳＦＥＴに置き換え、同じ機能を持たせるため、配線及び各信号のパターンを若干変更したものである。なお、本第５実施形態では、発光スイッチトランジスタ１２は省略されている。
【００５９】
本発明の第５実施形態による電気光学装置のブロック図は図１と同じとなるので、図１についての第１実施形態の説明を援用する。本第５実施形態における各画素回路１の具体的回路構成は図２０に示す通りとなるので、以下、その説明を行う。
【００６０】
図２０において、電源線ＰとＯＬＥＤ１０のアノードとの間には、順番に、電源遮断トランジスタ１７（第１電流用スイッチ）及び駆動トランジスタ１１が直列接続されている。そして、電源遮断トランジスタ１７のゲートには電源遮断トランジスタ駆動線Ｇが電気的に接続されている。また、駆動トランジスタ１１のゲートは、第１初期化トランジスタ１４を介して第１電源線Ｐに電気的に接続されている。この第１初期化トランジスタ１４のゲートには、第１初期化トランジスタ駆動線Ｎが電気的に接続されている。
【００６１】
また、駆動トランジスタ１１のドレインとソースとの間には第１容量３１が電気的に接続されており、駆動トランジスタ１１のドレインとＯＬＥＤのアノードとの接続点とデータ線Ｄとの間には第２初期化トランジスタ１６が電気的に接続されており、駆動トランジスタ１１のソースと第２電源線Ｗとの間には補償トランジスタ１３が電気的に接続されている。この第２初期化トランジスタ１６のゲートは、第２初期化トランジスタ駆動線Ｉに電気的に接続されている。また、補償トランジスタ１３のゲートは、走査トランジスタ１５を介してデータ線Ｄに接続されているとともに、第２容量３２を介して第１走査線Ｓ１に接続されている。この走査トランジスタ１５のゲートには第２走査線Ｓ２が接続されている。なお、駆動トランジスタ１１と補償トランジスタ１３は全く同一の特性を有しているので、その閾値電圧Ｖｔｈの値は同一である。
【００６２】
次に、図２１のタイミングチャートを用いて、制御回路２による各ＯＬＥＤ１０の駆動回路に対する制御内容を、説明する。なお、以下の処理は、所定の垂直同期信号に同期した周期で階調電圧生成部２２がフレーム単位の階調電圧を生成する毎に、繰り返し実行される。そして、制御回路２は、ＯＬＥＤ１０の全ての列に対する階調電圧の出力を並行に実行しつつピクセル単位で順次出力される当該階調信号を一行ずつ各ＯＬＥＤ１０の駆動回路に入力させるプログラミングを行い、その後、ＯＬＥＤ１０の全ての行に対する初期化，Ｖｔｈ補償及び第１容量３１へのデータ転送を同時に行い、その後、転送されたデータに基づきＯＬＥＤ１０を発光させつつ、次のフレームの階調データについてのプログラミングを実行する。ただし、以下においては、説明の便宜上、あるフレームの階調データについてのプログラミングを実行する時点から、説明を開始する。
【００６３】
まず、図２１のＳ１において、制御回路２は、全ての行について、第１初期化トランジスタ駆動信号（ＧＣ１）の電位をＨ（第１初期化トランジスタ１４＝ＯＦＦ）、電源遮断信号（ＧＣ２）の電位をＬ（電源遮断トランジスタ１７＝ＯＮ）、第２初期化トランジスタ駆動信号（ＧＣ３）の電位をＨ（第２初期化トランジスタ１６＝ＯＦＦ）とする。これにより、全てのＯＬＥＤ１０の駆動回路において、第１容量３１がフローティングとなり、前のフレームの階調電圧に基づいて第１容量３１に保持された電圧（Ｖｇｓ＝Ｖｉｎｉｔ１−Ｄａｔａ＋Ｖｔｈ）に応じて、駆動トランジスタ１１がＯＬＥＤ１０に電流（第１電流に相当）を供給することにより、階調電圧に応じた輝度でＯＬＥＤ１０を発光させる。同時に、制御回路２は、走査対象行（初期においては第１行であり、所定の水平同期信号に応じて、順次、次の行に切り換わる）以外の行については、第１スキャン信号（Ｓｃａｎ１）及び第２スキャン信号（Ｓｃａｎ２）の電位を共にＨ（走査トランジスタ１５＝ＯＦＦ）のままとしつつ、走査対象行については、第１スキャン信号（Ｓｃａｎ１）及び第２スキャン信号（Ｓｃａｎ２）の電位を共にＬ（走査トランジスタ１５＝ＯＮ）に切り替える。
【００６４】
この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に蓄積される。この階調電圧（Ｄａｔａ）は補償トランジスタ１３のゲートにも印加されるが、階調電圧（Ｄａｔａ）が最小値であっても補償トランジスタ１３のゲート電圧（Ｄａｔａ）とソース電圧との電位差がＶｔｈよりも大きくなるように設定されているので、補償トランジスタ１３はＯＮになり、この時点では第２初期化トランジスタ１６がＯＦＦであることから、ＥＬＶＤＤからの電流（第２電流に相当）をＯＬＥＤ１０に対して重畳的に流してしまう。しかしながら、この補償トランジスタ１３がＯＮする水平同期期間はＯＬＥＤ１０が発光し続ける垂直同期期間に比して十分小さいところ、人間の目には、ＯＬＥＤの明るさは、水平走査期間中の発光輝度の積分値として感じられるので、当該電流がＯＬＥＤの見かけの明るさに与える影響は、実質的には無い。
【００６５】
制御回路２は、以上に説明したプログラミングを、所定の水平同期信号が入力されるごとに走査対象行を順次切り替えつつ、全ての行について実行する。ある行についてプログラミングが実行された後に走査対象行が次の行に切り替えられた時点（Ｓ２）では、制御回路２は、プログラミングが完了した行の第１スキャン信号（Ｓｃａｎ１）及び第２スキャン信号（Ｓｃａｎ２）の電位を共にＨ（走査トランジスタ１５＝ＯＦＦ）に切り替える。すると、第２容量３２における容量カップリングにより、補償トランジスタ１３のゲートに印加される電圧は、第１走査線Ｓ１上の第１スキャン信号（Ｓｃａｎ１）の振幅ΔＶ（＝Ｈ−Ｌ）分だけ上昇してＤａｔａ＋ΔＶとなる。ここで、振幅ΔＶの値は、Ｄａｔａが最大値であっても補償トランジスタのゲート電圧（Ｄａｔａ＋ΔＶ）とソース電圧との電位差がＶｔｈよりも小さくなるように設定されているので、補償トランジスタ１３はＯＦＦになり、当該補償トランジスタ１３からＯＬＥＤ１０に流れ込む電流（第２電流に相当）が停止される。よって、以上の制御を行う制御回路２は、第２電流を規制する規制手段に相当する。
【００６６】
全ての行に対するプログラムが完了すると、制御回路２は、図２１のＳ３において、データ線Ｄに供給している電圧を第２初期化電圧（Ｖｉｎｉｔ２）に切り替えるとともに、全ての行の第１スキャン信号（Ｓｃａｎ１）及び第２スキャン信号（Ｓｃａｎ２）の電位を共にＨ（走査トランジスタ１５＝ＯＦＦ）に切り替え、第１初期化トランジスタ駆動信号（ＧＣ１）の電位をＬ（第１初期化トランジスタ１４＝ＯＮ）、電源遮断信号（ＧＣ２）の電位をＨ（電源遮断トランジスタ１７＝ＯＦＦ）、第２初期化トランジスタ駆動信号（ＧＣ３）の電位をＬ（第２初期化トランジスタ１６＝ＯＮ）に切り替える。その結果、ＥＬＶＤＤからの電流（第１電流に相当）は電源遮断トランジスタ１７によって遮断されるので、ＯＬＥＤ１０は消灯する。また、駆動トランジスタ１１のゲート電位が電源電圧（ＥＬＶＤＤ）に初期化され、ドレイン電位が第２初期化電圧（Ｖｉｎｉｔ２）に初期化される。この時、第２初期化電圧（Ｖｉｎｉｔ２）の値は、ＯＬＥＤ１０の閾値電圧未満となるように設定されているので、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。また、補償トランジスタ１３がＯＦＦになり且つ電源遮断トランジスタ１７がＯＦＦになることにより、第１電源線Ｐとデータ線Ｄとのショートが防止される。
【００６７】
次に、図２１のＳ４において、制御回路２は、全ての行について、第２初期化トランジスタ駆動信号（ＧＣ３）の電位をＨ（第２初期化トランジスタ１６＝ＯＦＦ）、第１スキャン信号（Ｓｃａｎ１）の電位をＬに、夫々切り替える。その結果、補償トランジスタ１３のゲートの電位が、第１スキャン信号（Ｓｃａｎ１）の振幅ΔＶ（＝Ｈ−Ｌ）分だけ降下して、元の階調電圧（Ｄａｔａ）となる。すると、上述したように、階調電圧（Ｄａｔａ）が最小値であっても補償トランジスタ１３のゲート電圧（Ｄａｔａ）とソース電圧との電位差がＶｔｈよりも大きくなるように設定されているので、補償トランジスタ１３はＯＮになる。これにより、補償トランジスタ１３は、ソースフォロワ回路として働き、ＥＬＶＤＤからの電流が第１初期化トランジスタ１４
，第１容量３１，駆動トランジスタ１１のソース、補償トランジスタ１３を通って流れ、補償トランジスタ１３のソース電圧がゲート電圧（Ｄａｔａ）からＶｔｈだけ降下した値（Ｄａｔａ−Ｖｔｈ）となり、この時の駆動トランジスタ１１のソース−ゲート間電圧（Ｖｇｓ＝Ｖｉｎｉｔ１−Ｄａｔａ＋Ｖｔｈ）が第１容量３１に保持される。
【００６８】
次に、図２１のＳ５において、制御回路２は、全ての行について、第１初期化トランジスタ駆動信号（ＧＣ１）の電位をＨ（第１初期化トランジスタ１４＝ＯＦＦ）、電源遮断信号（ＧＣ２）の電位をＬ（電源遮断トランジスタ１７＝ＯＮ）、第１スキャン信号（Ｓｃａｎ１）の電位をＨに、それぞれ切り替える。その結果、全てのＯＬＥＤ１０の駆動回路において、補償トランジスタがＯＦＦになるとともに、第１容量３１がフローティングとなり、第１容量３１に保持された電圧（Ｖｇｓ＝Ｖｉｎｉｔ１−Ｄａｔａ＋Ｖｔｈ）から閾値電圧（Ｖｔｈ）分だけ降下した電圧（Ｖｉｎｉｔ１−Ｄａｔａ）に比例した電流（第１電流に相当）が駆動トランジスタ１１のドレイン−ソース間を流れ、ＯＬＥＤ１０を発光させる。その結果、ＯＬＥＤ１０の発光輝度は、階調電圧Ｄａｔａに応じたものとなる。
【００６９】
以後、制御回路２は、ＯＬＥＤ１０の発光をＳ２の完了まで継続しつつ、次の階調電圧の入力のために、Ｓ１以降の処理を実行する。
【００７０】
本第５実施形態におけるその他の構成及び作用は、上述した第１実施形態のものと同じであるので、その説明を省略する。
（第６実施形態）
【００７１】
本発明の第６実施形態に係る電気光学装置について、図２２乃至図２８を参照しながら詳細に説明する。
【００７２】
本発明の第６実施形態による電気光学装置は、上述した第２実施形態と比較して、各トランジスタ１１〜１７をＰチャネル型ＭＯＳＦＥＴに置き換え、同じ機能を持たせるため、配線及び各信号のパターンを若干変更したものである。なお、本第６実施形態では、発光スイッチトランジスタ１２及びバイパストランジスタ１８は省略されている一方、電流を第２電源線Ｗに逃がす接地トランジスタ１９が設けられている。
【００７３】
本発明の第６実施形態による電気光学装置のブロック図は図１と同じとなるので、図１についての第１実施形態の説明を援用する。本第６実施形態における各画素回路１の具体的回路構成は図２２に示す通りとなるので、以下、その説明を行う。
【００７４】
図２２に示すように、第１電源線ＰとＯＬＥＤ１０のアノードとの間には、順番に、電源遮断トランジスタ１７（第１電流用スイッチに相当）、補償トランジスタ１３及び駆動トランジスタ１１が直列接続されている。そして、電源遮断トランジスタ１７のゲートには電源遮断トランジスタ駆動線Ｇが電気的に接続されている。また、駆動トランジスタ１１のゲートは、第１初期化トランジスタ１４を介して第１電源線Ｐに電気的に接続されており、この第１初期化トランジスタ１４のゲートには、第１初期化トランジスタ駆動線Ｎが電気的に接続されている。
【００７５】
また、駆動トランジスタ１１のソースとゲートとの間には第１容量３１が電気的に接続されており、駆動トランジスタ１１のドレインとＯＬＥＤ１０のアノードとの接続点とデータ線Ｄとの間には第２初期化トランジスタ１６が電気的に接続されている。この第２初期化トランジスタ１６のゲートは、第２初期化トランジスタ駆動線Ｉに電気的に接続されている。また、補償トランジスタ１３のゲートは、走査トランジスタ１５を介してデータ線Ｄに接続されているとともに、第２容量３２を介して第１走査線Ｓ１に接続されている。この走査トランジスタ１５のゲートには第２走査線Ｓ２が接続されている。
【００７６】
また、上述した接地トランジスタ１９（第２電流を規制する規制手段としての第２電流用スイッチに相当）は、電源遮断トランジスタ１７のドレインと補償トランジスタ１３のソースとの接続点と第２電源線Ｗとの間に接続されており、接地トランジスタ１９のゲートは、第２初期化トランジスタ駆動線Ｉに接続されている。
【００７７】
なお、駆動トランジスタ１１と補償トランジスタ１３は全く同一の特性を有しているので、その閾値電圧Ｖｔｈの値は同一である。
【００７８】
次に、図２３のタイミングチャート、図２４乃至図２８の回路図を用いて、制御回路２による各ＯＬＥＤ１０の駆動回路に対する制御内容を、説明する。なお、以下の処理は、所定の垂直同期信号に同期した周期で階調電圧生成部２２がフレーム単位の階調電圧を生成する毎に、繰り返し実行される。そして、制御回路２は、ＯＬＥＤ１０の全ての列に対する階調電圧の出力を並行に実行しつつピクセル単位で順次出力される当該階調信号を一行ずつ各ＯＬＥＤ１０の駆動回路に入力させるプログラミングを行い、その後、ＯＬＥＤ１０の全ての行に対する初期化，Ｖｔｈ補償及び第１容量３１へのデータ転送を同時に行い、その後、転送されたデータに基づきＯＬＥＤ１０を発光させつつ、次のフレームの階調データについてのプログラミングを実行する。ただし、以下においては、説明の便宜上、あるフレームの階調データについてのプログラミングを実行する時点から、説明を開始する。
【００７９】
まず、図２３のＳ１において、制御回路２は、全ての行について、第１初期化トランジスタ駆動信号（ＧＣ１）の電位をＨ（第１初期化トランジスタ１４＝ＯＦＦ）、電源遮断信号（ＧＣ２）の電位をＬ（電源遮断トランジスタ１７＝ＯＮ）、第２初期化トランジスタ駆動信号（ＧＣ３）の電位をＨ（第２初期化トランジスタ１６＝ＯＦＦ，接地トランジスタ１９＝ＯＦＦ）とする（図２４参照）。これにより、全てのＯＬＥＤ１０の駆動回路において、第１容量３１がフローティングとなり、前のフレームの階調電圧に基づいて第１容量３１に保持された電圧（Ｖｇｓ＝Ｖｉｎｉｔ１−Ｄａｔａ＋Ｖｔｈ）に応じて、駆動トランジスタ１１がＯＬＥＤ１０に電流（第１電流に相当）を供給することにより、階調電圧に応じた輝度でＯＬＥＤ１０を発光させる。同時に、制御回路２は、走査対象行（初期においては第１行であり、所定の水平同期信号に応じて、順次、次の行に切り換わる）以外の行については、第１スキャン信号（Ｓｃａｎ１）の電位をＬ、第２スキャン信号（Ｓｃａｎ２）の電位をＨ（走査トランジスタ１５＝ＯＦＦ）のままとしつつ、走査対象行については、第１スキャン信号（Ｓｃａｎ１）の電位をＨ，第２スキャン信号（Ｓｃａｎ２）の電位をＬ（走査トランジスタ１５＝ＯＮ）に切り替える（図２４参照）。
【００８０】
この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に保持される。この階調電圧（Ｄａｔａ）は補償トランジスタ１３のゲートにも印加されるが、階調電圧（Ｄａｔａ）が最小値であっても補償トランジスタ１３のゲート電圧（Ｄａｔａ）とソース電圧との電位差がＶｔｈよりも大きくなるように設定されているので、補償トランジスタ１３はＯＮのままである。この時点で補償トランジスタ１３のドレイン−ソース間を流れてＯＬＥＤ１０に供給される電流（第１電流に相当）は第２容量３２に保持された階調電圧（Ｄａｔａ）に依存した大きさとなってしまうが、水平同期期間はＯＬＥＤ１０が発光し続ける垂直同期期間に比して十分小さいところ、人間の目には、ＯＬＥＤの明るさは、水平走査期間中の発光輝度の積分値として感じられるので、当該電流がＯＬＥＤの見かけの明るさに与える影響は、実質的には無い。
【００８１】
制御回路２は、以上に説明したプログラミングを、所定の水平同期信号が入力されるごとに走査対象行を順次切り替えつつ、全ての行について実行する。図２５は、ある行についてプログラミングが実行された後に走査対象行が次の行に切り替えられた時点（Ｓ２）における駆動回路の状態を示すものである。すなわち、走査対象行を次の行に切り替えると、制御回路２は、プログラミングが完了した行の第１スキャン信号（Ｓｃａｎ１）の電位をＬに切り替えるとともに、第２スキャン信号（Ｓｃａｎ２）の電位をＨ（走査トランジスタ１５＝ＯＦＦ）に切り替える。すると、第２容量３２における容量カップリングにより、補償トランジスタ１３のゲートに印加される電圧は、第１走査線Ｓ１上の第１スキャン信号（Ｓｃａｎ１）の振幅ΔＶ（＝Ｈ−Ｌ）分だけ降下してＤａｔａ−ΔＶとなる。ここで、振幅ΔＶの値は、Ｄａｔａの最大値よりも十分に大きく設定されているので、補償トランジスタ１３のソース−ドレイン間のインピーダンスが最小値に近くなり、ＯＬＥＤ１０に供給される電流は、専ら、駆動トランジスタ１１によって制御されるようになり、ＯＬＥＤ１０は、第１容量３１に保持された電圧（Ｖｇｓ＝Ｖｉｎｉｔ１−Ｄａｔａ＋Ｖｔｈ）に応じた輝度での発光を、再開する。よって、以上の制御を行う制御回路２は、第２電流を規制する規制手段に相当する。
【００８２】
全ての行に対するプログラムが完了すると、制御回路２は、図２３のＳ３において、データ線Ｄに供給している電圧を第２初期化電圧（Ｖｉｎｉｔ２）に切り替えるとともに、第１初期化トランジスタ駆動信号（ＧＣ１）の電位をＬ（第１初期化トランジスタ１４＝ＯＮ）、電源遮断信号（ＧＣ２）の電位をＨ（電源遮断トランジスタ１７＝ＯＦＦ）に切り替える（図２６参照）。その結果、ＥＬＶＤＤからの電流（第１電流に相当）は電源遮断トランジスタ１７によって遮断されるので、ＯＬＥＤ１０は消灯する。また、駆動トランジスタ１１のゲート電位が電源電圧（ＥＬＶＤＤ）に初期化される。また、電源遮断トランジスタ１７がＯＦＦであることから第１電源線Ｐとデータ線Ｄとのショートが防止される。
【００８３】
次に、図２３のＳ４において、制御回路２は、全ての行について、第２初期化トランジスタ駆動信号（ＧＣ３）の電位をＬ（第２初期化トランジスタ１６＝ＯＮ、接地トランジスタ＝ＯＮ）、第１スキャン信号（Ｓｃａｎ１）の電位をＨに、夫々切り替える（図２７参照）。このとき、第１初期化トランジスタ１４がＯＮのままであるため、駆動トランジスタ１１のベースに印加されている電圧は第１初期化電圧（Ｖｉｎｉｔ１）であって、駆動トランジスタ１１はＯＦＦのままであるから、接地トランジスタ１９がＯＮとなることによって、ＥＬＶＤＤからの電流は、第１初期化トランジスタ１４、第１容量３１、駆動トランジスタ１１のソース、補償トランジスタ１３及び接地トランジスタ１９を通って流れる。このとき、補償トランジスタ１３のゲートの電位が、第１スキャン信号（Ｓｃａｎ１）の振幅ΔＶ（＝Ｈ−Ｌ）分だけ上昇して、元の階調電圧（Ｄａｔａ）となっている。そのため、補償トランジスタ１３はソースフォロワ回路として機能し、そのソース電圧がゲート電圧（Ｄａｔａ）から閾値電圧（Ｖｔｈ）分だけ降下した値（Ｄａｔａ−Ｖｔｈ）となり、駆動トランジスタ１１のソース−ゲート間電圧（Ｖｇｓ＝Ｖｉｎｉｔ１−Ｄａｔａ＋Ｖｔｈ）が第１容量３１に保持される。これと同時に、駆動トランジスタ１１のドレイン電位が第２初期化電圧（Ｖｉｎｉｔ２）に初期化され、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。
【００８４】
次に、図２３のＳ５において、制御回路２は、全ての行について、第１初期化トランジスタ駆動信号（ＧＣ１）の電位をＨ（第１初期化トランジスタ１４＝ＯＦＦ）、電源遮断信号（ＧＣ２）の電位をＬ（電源遮断トランジスタ１７＝ＯＮ）、第２初期化トランジスタ駆動信号（ＧＣ３）の電位をＨ（第２初期化トランジスタ１６＝ＯＦＦ、接地トランジスタ１９＝ＯＦＦ）、第１スキャン信号（Ｓｃａｎ１）の電位をＬに、それぞれ切り替える（図２８参照）。その結果、全てのＯＬＥＤ１０の駆動回路において、第１容量３１がフローティングとなり、第１容量３１に保持された電圧（Ｖｇｓ＝Ｖｉｎｉｔ１−Ｄａｔａ＋Ｖｔｈ）から閾値電圧（Ｖｔｈ）分だけ降下した電圧（Ｖｉｎｉｔ１−Ｄａｔａ）に比例した電流（第１電流に相当）が駆動トランジスタ１１のドレイン−ソース間を流れ、ＯＬＥＤ１０を発光させる。その結果、ＯＬＥＤ１０の発光輝度は、階調電圧Ｄａｔａに応じたものとなる。
【００８５】
以後、制御回路２は、ＯＬＥＤ１０の発光をＳ２の完了まで継続しつつ、次の階調電圧の入力のために、Ｓ１以降の処理を実行する。
【００８６】
本第６実施形態におけるその他の構成及び作用は、第２実施形態のものと同じであるので、その説明を省略する。
【符号の説明】
【００８７】
１      画素回路
２      制御回路
１０      ＯＬＥＤ
１１      駆動トランジスタ
１３      補償トランジスタ
１７      電源遮断トランジスタ１７
３１      第１容量
３２      第２容量
Ｐ      第１電源線
Ｓ１      第１走査線
【図１】
2015045831.tif 000003
【図２】
2015045831.tif 000004
【図３】
2015045831.tif 000005
【図４】
2015045831.tif 000006
【図５】
2015045831.tif 000007
【図６】
2015045831.tif 000008
【図７】
2015045831.tif 000009
【図８】
2015045831.tif 000010
【図９】
2015045831.tif 000011
【図１０】
2015045831.tif 000012
【図１１】
2015045831.tif 000013
【図１２】
2015045831.tif 000014
【図１３】
2015045831.tif 000015
【図１４】
2015045831.tif 000016
【図１５】
2015045831.tif 000017
【図１６】
2015045831.tif 000018
【図１７】
2015045831.tif 000019
【図１８】
2015045831.tif 000020
【図１９】
2015045831.tif 000021
【図２０】
2015045831.tif 000022
【図２１】
2015045831.tif 000023
【図２２】
2015045831.tif 000024
【図２３】
2015045831.tif 000025
【図２４】
2015045831.tif 000026
【図２５】
2015045831.tif 000027
【図２６】
2015045831.tif 000028
【図２７】
2015045831.tif 000029
【図２８】
2015045831.tif 000030
【図２９】
2015045831.tif 000031
【図３０】
2015045831.tif 000032